(57)【特許請求の範囲】
【請求項１】
薬局特定情報及び患者特定情報を含む薬歴情報が記録された複数の薬局ファイルを含み、前記複数の薬局ファイルについて薬局毎にパスワードの設定が可能に構成された薬局向け薬歴情報データベースと、
薬局から前記薬歴情報を受信したときには前記薬局特定情報に基づいて前記薬歴情報を前記薬局毎に前記薬局向け薬歴情報データベースに書き込む機能及び薬局からの求めがあったときにはその求めに応じて前記薬局向け薬歴情報データベースに記録された前記薬歴情報のうち前記薬局自身が提供した薬歴情報の全部又は一部を前記薬局に対して送信する機能を有する薬局支援サーバとを備える薬歴情報管理装置において、
患者毎の薬局間にわたる前記薬歴情報が記録された複数の患者ファイルを含み、前記複数の患者ファイルについて前記患者毎にパスワードの設定が可能に構成された患者向け薬歴情報データベースと、
前記薬局向け薬歴情報データベース及び前記患者向け薬歴情報データベースのうち前記患者向け薬歴情報データベースに対してアクセスが可能に構成され、患者からの求めがあったときには、その求めに応じて前記患者向け薬歴情報データベースにおける該当する患者ファイルに記録された薬歴情報の全部又は一部を前記患者に対して送信する機能を有する患者支援サーバと、
前記薬局向け薬歴情報データベースに記録された前記薬歴情報を読み出して、前記薬歴情報の全部又は一部を前記患者特定情報に基づいて前記患者向け薬歴情報データベースにおける該当する患者ファイルに書き込む機能を有する薬歴情報変換部とをさらに備え、
前記薬局支援サーバは、前記薬局から前記薬歴情報を受信したときには、前記薬歴情報の全部又は一部を前記患者特定情報に基づいて前記患者向け薬歴情報データベースにおける該当する患者ファイルに書き込む機能をさらに有し、
前記患者支援サーバは、患者からの追記情報を受け付けるとともに前記追記情報を前記患者向け薬歴情報データベースにおける該当する患者ファイルに書き込む機能を有することを特徴とする薬歴情報管理装置。
【請求項２】
請求項１に記載の薬歴情報管理装置において、
前記患者支援サーバは、患者からのアクセスがあったときには、少なくとも前記患者の識別番号及び前記患者のパスワードを入力するための画面を前記患者に向けて送信するように構成され、
前記複数の患者ファイルのそれぞれは、少なくとも前記患者の識別番号及び前記患者のパスワードの入力が確認されない限り閲覧が許可されないように構成されていることを特徴とする薬歴情報管理装置。
【請求項３】
請求項１又は２に記載の薬歴情報管理装置において、
前記複数の患者ファイルのそれぞれは、患者の代理人に対してもパスワードの設定が可能に構成され、
前記患者支援サーバは、患者の代理人からの求めがあったときには、その求めに応じて前記患者向け薬歴情報データベースにおける該当する患者ファイルに記録された前記患者の薬歴情報の全部又は一部を前記患者の代理人に対して送信する機能をさらに有することを特徴とする薬歴情報管理装置。
【請求項４】
請求項３に記載の薬歴情報管理装置において、
前記薬局支援サーバは、前記患者の代理人としての薬剤師からの求めがあったときには、その求めに応じて前記患者向け薬歴情報データベースにおける該当する患者ファイルに記録された前記患者の薬歴情報の全部又は一部を前記薬剤師に対して送信する機能をさらに有することを特徴とする薬歴情報管理装置。
【請求項５】
請求項３又は４に記載の薬歴情報管理装置において、
前記複数の患者ファイルのそれぞれは、少なくとも前記患者の代理人の識別番号、前記患者の識別番号及び前記患者毎に設定される前記患者の代理人のパスワードの入力が確認されれば閲覧が許可されるように構成されていることを特徴とする薬歴情報管理装置。
【請求項６】
請求項１〜５のいずれかに記載の薬歴情報管理装置において、
前記患者特定情報は、少なくとも患者の氏名、患者の生年月日及び患者の健康保険被保険者証番号を含むことを特徴とする薬歴情報管理装置。
【請求項７】
請求項１〜６のいずれかに記載の薬歴情報管理装置において、
前記薬局特定情報を含む前記薬局の情報が記録された薬局データベースと、
前記患者特定情報を含む前記患者の情報が記録された患者データベースとをさらに備えることを特徴とする薬歴情報管理装置。
【請求項８】
請求項１〜７のいずれかに記載の薬歴情報管理装置において、
薬剤情報が記録された薬剤情報データベースと、
薬剤相互作用情報が記録された薬剤相互作用情報データベースとをさらに備え、
前記薬局支援サーバは、薬局からの求めがあったときには、その求めに応じて前記薬剤情報データベースに記録された前記薬剤情報及び／又は前記薬剤相互作用情報データベースに記録された前記薬剤相互作用情報を前記薬局に対して送信する機能をさらに有し、
前記患者支援サーバは、患者からの求めがあったときには、その求めに応じて前記薬剤情報データベースに記録された前記薬剤情報及び／又は前記薬剤相互作用情報データベースに記録された前記薬剤相互作用情報を前記患者に対して送信する機能をさらに有することを特徴とする薬歴情報管理装置。
【請求項９】
請求項１〜８のいずれかに記載の薬歴情報管理装置において、
前記薬歴情報は、薬局特定情報及び患者特定情報に加えて製薬会社特定情報をさらに含み、
製薬会社毎に当該製薬会社に関連する薬歴情報が記録された複数の製薬会社ファイルを含み、前記複数の製薬会社ファイルについて前記製薬会社毎にパスワードの設定が可能に構成された製薬会社向け薬歴情報データベースと、
前記製薬会社からの求めがあったときには、その求めに応じて前記製薬会社向け薬歴情報データベースに記録された前記薬歴情報のうち前記製薬会社に関連する薬歴情報の全部又は一部を前記製薬会社に対して送信する機能を有する製薬会社支援サーバとをさらに備えることを特徴とする薬歴情報管理装置。
【請求項１０】
請求項９に記載の薬歴情報管理装置において、
前記製薬会社特定情報を含む前記製薬会社の情報が記録された製薬会社データベースをさらに備えることを特徴とする薬歴情報管理装置。
【請求項１１】
請求項１〜１０のいずれかに記載の薬歴情報管理装置において、
前記患者支援サーバは、調剤が完了した旨の前記薬局からの通知を前記薬局支援サーバが受けたときには、当該調剤が完了した旨の電子メールを該当する患者に向けて送信する機能をさらに有することを特徴とする薬歴情報管理装置。
【請求項１２】
請求項１〜１１のいずれかに記載の薬歴情報管理装置において、
前記患者支援サーバは、服用時間を確認するための電子メールを該当する患者の端末に向けて送信する機能をさらに有することを特徴とする薬歴情報管理装置。
【請求項１３】
請求項１２に記載の薬歴情報管理装置において、
前記服用時間を確認するための電子メールには、服用状況を入力するためのホームページへのリンクが埋め込まれていることを特徴とする薬歴情報管理装置。
【請求項１４】
請求項１〜１３のいずれかに記載の薬歴情報管理装置において、
前記患者支援サーバは、服用期間の終了時期を知らせる旨の服用期間終了電子メールを該当する患者の端末に向けて送信する機能をさらに有することを特徴とする薬歴情報管理装置。
【請求項１５】
請求項１２〜１４のいずれかに記載の薬歴情報管理装置において、
前記患者支援サーバは、特定の薬剤に関して緊急安全性情報を得たときには、現在又は過去に前記薬剤を服用している患者を検索し、当該緊急安全性情報に関する電子メールを該当する患者に向けて送信する機能をさらに有することを特徴とする薬歴情報管理装置。
【請求項１６】
請求項１〜１５のいずれかに記載の薬歴情報管理装置において、
前記患者支援サーバは、前記薬局から前記患者に送信したいお知らせを前記薬局支援サーバが受けたときには、前記お知らせを含む電子メールを前記薬局に関連付けられている患者の全部又は一部に向けて送信する機能をさらに有することを特徴とする薬歴情報管理装置。
【発明の詳細な説明】
【技術分野】
【０００１】
本発明は、薬歴情報管理装置に関する。
【背景技術】
【０００２】
従来より、薬歴情報の管理を薬局に代行して行うことにより薬局の業務を支援する薬歴情報管理装置が知られている（例えば、非特許文献１、２及び３参照。）。
図３２は、そのような従来の薬歴情報管理装置９００を説明するために示す図である。
従来の薬歴情報管理装置９００は、図３２に示すように、薬局支援サーバ９１０と、薬局データベース９２０と、患者データベース９３０と、薬局向け薬歴情報データベース９４０と、薬剤情報データベースその他のデータベース９５０とを備える。【０００３】
薬局支援サーバ９１０は、薬局１〜４の端末２１０，２２０からの薬局特定情報及び患者特定情報を含む薬歴情報を受信するとともに、薬局１〜４の端末２１０，２２０及び薬局１の携帯端末２１０ａからの求めに応じて薬局１〜４の端末２１０，２２０や薬局１の携帯端末２１０ａに対して薬局１〜４自身が提供した薬歴情報の全部又は一部を様々な態様で送信する機能を有する。【０００４】
なお、薬局が薬局チェーンに属する薬局３，４である場合には、薬局チェーンの本部１の端末２３０が各薬局３，４で発生した薬歴情報を薬局３，４に代わって薬局支援サーバ９１０に送信することもある。このような場合には、薬局支援サーバ９１０は、薬局チェーンの本部１の端末２３０からの薬歴情報を受信する。【０００５】
また、薬局が薬局チェーンに属する薬局３，４である場合には、薬局チェーンの本部１の端末２３０が薬局支援サーバ９１０に対して薬歴情報の提供を求めることもある。このような場合には、薬局支援サーバ９１０は、薬局チェーンの本部１の端末２３０に対して薬局チェーンの本部１又は薬局チェーンに属する薬局３，４が提供した薬歴情報の全部又は一部を送信する。【０００６】
また、薬局が薬局チェーンに属する薬局３，４である場合には、薬局支援サーバ９１０は、薬局３，４の端末２２０からの求めに応じて、薬局チェーンに属するすべての薬局３，４の端末２２０や薬局チェーンの本部１の端末２３０が提供した薬歴情報の全部又は一部を送信することとすることもできる。
すなわち、この明細書においては、「薬局」という用語は、単一店舗からなる薬局のみならず、薬局チェーンに属する薬局及び薬局チェーンの本部をも含む概念で用いている。【０００７】
なお、図３２においては、端末２１０は単一店舗からなる薬局１，２における端末であり、端末２１０ａは単一店舗からなる薬局１における携帯端末であり、端末２２０は薬局チェーンに属する薬局３，４における端末であり、端末２３０は薬局チェーンの本部１における端末である。【０００８】
薬局特定情報は、薬局を特定するために用いる情報であって、例えば、薬歴情報管理装置９００の管理者における薬局の識別番号、薬局の名称などである。【０００９】
患者特定情報は、患者を特定するために用いる情報であって、例えば、薬歴情報管理装置９００の管理者における患者の識別番号、薬局における患者の識別番号、患者の氏名、患者の生年月日、患者の健康保険被保険者証番号（健康保険の種別、保険者の番号並びに健康保険被保険者証の記号及び番号）などである。【００１０】
薬歴情報とは、薬局特定情報及び患者特定情報並びに処方箋に記載された情報の全部又は一部を含む情報であって、例えば、薬歴情報管理装置９００の管理者における薬歴情報番号、薬局の識別番号及び患者の識別番号、薬局における薬歴情報番号及び患者の識別番号、薬局の名称、患者の氏名（フリガナを含む。）、患者の生年月日、患者の健康保険被保険者証番号、処方箋の発行日、処方箋を発行した病院の名称（及び識別番号）、処方箋を作成した医師の氏名（及び識別番号）、患者の来局日、薬剤の引渡し日、引き渡した薬剤の名称及び分量、保険点数、服薬指導の内容、その他の情報（患者の体質（例えば、アトピー体質、アレルギー体質など。）、患者の持病情報、患者の併用薬情報、患者の副作用情報、患者の職業、患者の家族構成、患者の遺伝学的情報など。）などである。【００１１】
薬局支援サーバ９１０は、薬局の端末２１０，２２０，２３０からの薬歴情報の受信を、例えば１日に１回定期的に行うようにしてもよいし（例えば、非特許文献１参照。）、ＡＳＰ（Application Service Provider）サービスを利用して薬局の端末２１０，２２０で処方箋を処理するたびに行うようにしてもよい（例えば、非特許文献２及び３参照。）。【００１２】
薬局データベース９２０には、薬局特定情報を含む薬局の情報、例えば、薬歴情報管理装置９００の管理者における薬局の識別番号、薬局の名称、薬局の住所、薬局の電話番号、薬局のファクシミリ番号、薬局のメールアドレス、薬局の代表者氏名、薬局に所属する薬剤師の人数及び氏名、薬局の種別（単一店舗からなる薬局、薬局チェーンに属する薬局又は薬局チェーンの本部）などが記録されている。【００１３】
患者データベース９３０には、患者特定情報を含む患者の情報、例えば、薬歴情報管理装置９００の管理者における患者の識別番号、薬局における患者の識別番号、患者の氏名（フリガナを含む。）、患者の生年月日、患者の健康保険被保険者証番号、患者の性別、患者の住所、患者の電話番号、患者のファクシミリ番号、患者のメールアドレス、各薬局への来局歴、患者の体質、患者の持病情報、患者の副作用情報、患者の職業、患者の家族構成、患者の遺伝学的情報などが記録されている。【００１４】
薬局向け薬歴情報データベース９４０は、薬局毎に薬歴情報が記録された複数の薬局ファイルを含み、複数の薬局ファイルのそれぞれには薬局毎にパスワードが設定されている。この場合、薬局が薬局チェーンに属する薬局である場合には、薬局チェーンに属する薬局すべての薬歴情報が一の薬局ファイルに記録されていてもよいし、薬局チェーンに属する各薬局の薬歴情報が複数の薬局ファイルのそれぞれに記録されていてもよい。【００１５】
薬剤情報データベースその他のデータベース９５０には、薬剤の名称、特徴、使用法、注意点、副作用などに関する薬剤情報が記録された薬剤情報データベース、薬剤同士の相互作用の有無、程度などに関する薬剤相互作用情報が記録された薬剤相互作用情報データベース、病院や医師の情報が記録された医療機関情報データベースが含まれる他、薬局チェーンにおける患者共有情報データベース、医療機関共有情報データベース、在庫共有情報データベース、本部統括情報データベースなども含まれる。
なお、薬剤情報データベースには、薬価原本データも記録されている。【００１６】
上記のように構成された薬歴情報管理装置９００によれば、薬局支援サーバ９１０により受信された薬歴情報は、薬局向け薬歴情報データベース９４０内で薬局毎に記録されるため、薬局からの薬歴情報の求めがあれば、その求めに応じて当該薬局に対して当該薬局自身が提供した薬歴情報の全部又は一部を様々な態様で、即座にかつ確実に送信することが可能となる。その結果、薬歴情報の管理を薬局に代行して円滑に行うことで薬局の業務を支援することが可能となる。【００１７】
ところで、近年、健康に対する意識が高まるにつれて、患者の薬歴情報を患者自身が知りたいという要求が生じてきている。薬歴情報を知ることにより自分の過去の罹病歴や体質が確認できると、これらの情報を参考にして、自分が罹り易い病気の傾向を分析して未病対策（食事、運動、健康食品など）を行い、発病を未然に防止したり発病を遅らせたりすることができるからである。【００１８】
そこで、このような患者の薬歴情報が記録された薬歴情報管理装置９００を用いれば、患者に患者自身の薬歴情報を利用させることができると考えられる。しかしながら、薬歴情報管理装置９００（特に薬局向け薬歴情報データベース９４０）には、当該患者以外の患者の薬歴情報（極めて重要度の高い個人情報である。）や、薬局の薬歴情報（極めて重要度の高い経営情報である。）も記録されているため、患者に患者自身の薬歴情報を利用させる際には十分に高度なセキュリティを確保することが必要になるが、従来の薬歴情報管理装置９００は薬局の業務を支援することを目的として構築された薬歴情報管理装置であるため、これをそのまま用いて患者に患者自身の薬歴情報を利用させる場合に、十分なセキュリティを確保することが困難であるという問題がある。【００１９】
一方、患者に患者自身の薬歴情報を利用させることができる薬剤師業務支援システムや薬歴管理システムが知られている（特許文献１及び２参照。）。
従って、これらの薬剤師業務支援システムや薬歴管理システムを用いることによっても、患者に患者自身の薬歴情報を利用させることができるようになる。【００２０】
しかしながら、特許文献１に記載された薬剤師業務支援システムにおいても、患者に患者自身の薬歴情報を利用させる場合に十分なセキュリティを確保することが困難であるという問題がある。すなわち、特許文献１に記載された薬剤師業務支援システムは薬剤師の業務を支援することを目的として構築された薬剤師業務支援システムであるため、これをそのまま用いて患者に患者自身の薬歴情報を利用させることとしたのでは、当該患者以外の患者の薬歴情報や薬局の薬歴情報に対して十分なセキュリティを確保することが困難となるのである。【００２１】
また、特許文献１に記載された薬剤師業務支援システムにおいては、患者に患者自身の薬歴情報を利用させる場合に、薬局に対する業務支援サービスに支障をきたしたり多くの患者に対して薬歴情報を迅速に提供することが困難となったりする場合があるという問題もある。すなわち、特許文献１に記載された薬剤師業務支援システムは薬剤師の業務を支援することを目的として構築された薬剤師業務支援システムであるため、これをそのまま用いて患者に患者自身の薬歴情報を利用させることとしたのでは、患者からのアクセスと薬局からのアクセスとが競合したとき、薬局に対する業務支援サービスに支障をきたしたり（例えば、多くの患者に対して様々な薬歴情報を提供しているときには薬局に対するＡＳＰサービスや薬局からの薬歴情報の受付処理のスピードが低下する。）、多くの患者に対して薬歴情報を迅速に提供することが困難となったり（例えば、１又は複数の薬局からの様々な薬歴情報の受付処理を行っているときには多くの患者に対して薬歴情報を迅速に提供することができなくなる。）する場合があるのである。【００２２】
一方、特許文献２に記載された薬歴管理システムにおいては、患者に患者自身の薬歴情報を利用させる場合に十分な量及び質の薬歴情報を提供することが困難であるという問題がある。すなわち、未病対策を行うためにはできるだけたくさんの薬歴情報に基づいて自分の罹り易い病気の傾向を分析することが必要であるが、特許文献２に記載された薬歴管理システムは自分が服用している薬剤の処方チェックを行うことを目的として構築された薬歴管理システムであるため、低コストで十分な量及び質の薬歴情報を収集するのは容易ではなく、これをそのまま用いて患者に患者自身の薬歴情報を利用させることとしたのでは、低コストで十分な量及び質の薬歴情報を提供することが困難となるのである。【００２３】
【非特許文献１】株式会社イーエムシステムズの製品（ＮＥＴ−α）紹介のホームページ（http://www.emsystems.co.jp/products/net-alpha.html）
【非特許文献２】株式会社イーエムシステムズの製品（ＮＥＴ  Ｒｅｃｅｐｔｙ（Ｒｅｃｅｐｔｙは株式会社イーエムシステムズの登録商標））紹介のホームページ（http://www.emsystems.co.jp/netrecepty/main.html）
【非特許文献３】株式会社イーエムシステムズの製品（Ｍｏｂｉｌｉｔｙ）紹介のホームページ（http://www.emsystems.co.jp/products/mobility.html）
【特許文献１】特開２００２−１９７１８４号（図１３）
【特許文献２】特開２００３−１９６３９２号（図１）
【発明の開示】
【発明が解決しようとする課題】
【００２４】
そこで、本発明は、上記のような問題を解決するためになされたもので、患者に患者自身の薬歴情報を利用させる場合に、ａ）十分なセキュリティを確保することが可能で、ｂ）薬局に対する業務支援サービスに支障をきたしたり多くの患者に対して薬歴情報を迅速に提供することが困難となったりすることがなく、かつ、ｃ）低コストで十分な量及び質の薬歴情報を提供することが可能な薬歴情報管理装置を提供することを目的とする。
【課題を解決するための手段】
【００２５】
（１）本発明の薬歴情報管理装置は、薬局特定情報及び患者特定情報を含む薬歴情報が記録された複数の薬局ファイルを含み、前記複数の薬局ファイルについて薬局毎にパスワードの設定が可能に構成された薬局向け薬歴情報データベースと、薬局から前記薬歴情報を受信したときには前記薬局特定情報に基づいて前記薬歴情報を前記薬局毎に前記薬局向け薬歴情報データベースに書き込む機能及び薬局からの求めがあったときにはその求めに応じて前記薬局向け薬歴情報データベースに記録された前記薬歴情報のうち前記薬局自身が提供した薬歴情報の全部又は一部を前記薬局に対して送信する機能を有する薬局支援サーバとを備える薬歴情報管理装置において、患者毎の薬局間にわたる前記薬歴情報が記録された複数の患者ファイルを含み、前記複数の患者ファイルについて前記患者毎にパスワードの設定が可能に構成された患者向け薬歴情報データベースと、患者からの求めがあったときには、その求めに応じて前記患者向け薬歴情報データベースにおける該当する患者ファイルに記録された薬歴情報の全部又は一部を前記患者に対して送信する機能を有する患者支援サーバとをさらに備え、前記薬歴情報管理装置は、前記薬局支援サーバが受信した前記薬歴情報の全部又は一部を前記患者特定情報に基づいて前記患者向け薬歴情報データベースにおける該当する患者ファイルに書き込む機能を有することを特徴とする。【００２６】
このため、本発明の薬歴情報管理装置によれば、薬局向け薬歴情報データベースとは別に、患者毎に薬歴情報が記録された複数の患者ファイルを含む患者向け薬歴情報データベースを備えるため、患者に患者自身の薬歴情報を利用させることが可能となる。【００２７】
また、本発明の薬歴情報管理装置によれば、複数の患者ファイルは患者毎にパスワードの設定が可能であるため、患者により正しいパスワードが入力されない限り患者ファイルを利用できないようにすることが可能となる。また、複数の薬局ファイルは薬局毎にパスワードの設定が可能であるため、患者が薬局ファイルを利用することはできない。このため、患者に患者自身の薬歴情報を利用させる場合に、当該患者以外の患者の薬歴情報や薬局の薬歴情報に対して十分なセキュリティを確保することが可能となる。【００２８】
また、本発明の薬歴情報管理装置によれば、薬局向け薬歴情報データベースとは別に患者向け薬歴情報データベースを備え、また、薬局支援サーバとは別に患者支援サーバを備えるため、患者からのアクセスと薬局からのアクセスとが競合したときにも、当該患者に対する薬歴情報の提供サービスと薬局に対する薬局業務支援サービスとをともに円滑に行うことが可能となる。このため、患者に患者自身の薬歴情報を利用させる場合に薬局に対する薬局業務支援サービスに支障をきたしたり多くの患者に対して薬歴情報を迅速に提供することが困難となったりすることがない。【００２９】
また、本発明の薬歴情報管理装置によれば、薬局支援サーバが受信した薬歴情報の全部又は一部を患者特定情報に基づいて患者向け薬歴情報データベースにおける該当する患者ファイルに書き込む機能を有するため、薬局からの薬歴情報は、薬局特定情報に基づいて薬局毎に薬局向け薬歴情報データベースにおける複数の薬局ファイルのそれぞれに記録されるのに加えて、患者特定情報に基づいて患者向け薬歴情報データベースにおける複数の患者ファイルのそれぞれに記録されるようになる。このため、薬局の業務を支援するために薬歴情報管理装置を日々運用する過程で自然に、薬局向け薬歴情報データベースはもちろん、患者向け薬歴情報データベースをも常に最新の状態に保つことが可能となるため、低コストで十分な量及び質の薬歴情報を収集することが容易になり、患者に患者の薬歴情報を利用させる場合に低コストで十分な量及び質の薬歴情報を提供することが可能な薬歴情報管理装置となる。【００３０】
その結果、本発明の薬歴情報管理装置は、患者に患者自身の薬歴情報を利用させる場合に、ａ）十分なセキュリティを確保することが可能で、ｂ）薬局に対する業務支援サービスに支障をきたしたり多くの患者に対して薬歴情報を迅速に提供することが困難となったりすることがなく、かつ、ｃ）低コストで十分な量及び質の薬歴情報を提供することが可能な薬歴情報管理装置となる。【００３１】
ところで、従来の薬歴情報管理装置においては、患者の薬歴情報は薬局向け薬歴情報データベース内で薬局毎に分散して記録されている。このため、患者の薬歴情報を取り出すためには薬局向け薬歴情報データベース内をくまなく検索する必要があるため、患者の薬歴情報を即座に取り出すことが容易ではないという問題がある。
これに対して、本発明の薬歴情報管理装置によれば、従来の薬歴情報管理装置の場合とは異なり、患者の薬歴情報は患者向け薬歴情報データベース内で患者毎にまとめて記録されているため、患者からの薬歴情報の求めがあれば、その求めに応じて当該患者に対して当該患者自身の薬歴情報を即座に送信することが可能となる。【００３２】
なお、本発明の薬歴情報管理装置においては、従来の薬歴情報管理装置の場合と同様に、薬局支援サーバにより受信された薬歴情報は、薬局向け薬歴情報データベース内で薬局毎に記録されるため、薬局からの薬歴情報の求めがあれば、その求めに応じて当該薬局に対して当該薬局自身が提供した薬歴情報の全部又は一部を様々な態様で、即座にかつ確実に送信することが可能である。その結果、本発明の薬歴情報管理装置によれば、従来の薬歴情報管理装置の場合と同様に、薬歴情報の管理を薬局に代行して円滑に行うことで薬局の業務を支援することが可能である。【００３３】
なお、データベースには、階層型データベース、ネットワーク型データベース、 リレーショナルデータベース、その他さまざまな種類のデータベースがあるが、本発明の薬歴情報管理装置においては、薬局向け薬歴情報データベース又は患者向け薬歴情報データベースとして、これらのうち例えばリレーショナルデータベースを好ましく用いることができる。【００３４】
なお、この明細書において「患者」とは、処方箋に基づいて薬剤を処方してもらったことのある人のことをいい、現在病気に罹っていない健常人も含む意味で用いている。【００３５】
（２）本発明の薬歴情報管理装置においては、前記薬局支援サーバは、前記薬局から前記薬歴情報を受信したときには、前記薬歴情報の全部又は一部を前記患者特定情報に基づいて前記患者向け薬歴情報データベースにおける該当する患者ファイルに書き込む機能をさらに有することが好ましい。【００３６】
このように構成することにより、薬局からの薬歴情報は、薬局特定情報に基づいて薬局毎に薬局向け薬歴情報データベースに記録されるのに加えて、患者特定情報に基づいて患者向け薬歴情報データベースにおける患者ファイルのそれぞれに記録されるようになる。このため、薬局の業務を支援するために薬歴情報管理装置を日々運用する過程で自然に、薬局向け薬歴情報データベースはもちろん、患者向け薬歴情報データベースをも常に最新の状態に保つことが可能となる。【００３７】
（３）本発明の薬歴情報管理装置においては、前記薬局向け薬歴情報データベースに記録された前記薬歴情報を読み出して、前記薬歴情報の全部又は一部を前記患者特定情報に基づいて前記患者向け薬歴情報データベースにおける該当する患者ファイルに書き込む機能を有する薬歴情報変換部をさらに備えることも好ましい。【００３８】
このように構成することにより、薬局向け薬歴情報データベースに記録された薬歴情報は、薬歴情報変換部によって、患者向け薬歴情報データベースにおける患者ファイルのそれぞれに記録されるようになる。このため、薬局の業務を支援するために薬歴情報管理装置を日々運用する過程で自然に、薬局向け薬歴情報データベースはもちろん、患者向け薬歴情報データベースをも常に最新の状態に保つことが可能となる。【００３９】
（４）本発明の薬歴情報管理装置においては、前記患者支援サーバは、患者からの追記情報を受け付けるとともに前記追記情報を前記患者向け薬歴情報データベースにおける該当する患者ファイルに書き込む機能をさらに有することが好ましい。【００４０】
このように構成することにより、患者による適切な追記事項の書き込みにより、患者向け薬歴情報データベースに記録される薬歴情報の利用価値をさらに高めることが可能となる。【００４１】
追記情報には、患者のコメント、患者の服用履歴、患者の検査情報（体温、心拍数、血圧、血糖値、ヘマトクリット値、中性脂肪の値、尿酸値、視力、聴力、アレルギー検査結果など）、患者の生活習慣に関する情報（患者の食事、運動及び睡眠並びに飲酒又は喫煙の有無、頻度、１日当たりの摂取量その他の生活習慣に関する情報）、患者が薬局で購入した大衆薬（一般用医薬品）の情報などがある。【００４２】
例えば、患者が糖尿病の患者である場合には、患者の現在又は過去の生活習慣の情報、患者の現在又は過去の血糖値、患者の服用履歴などに関する情報を総合的に検討することにより、患者にとってより適切な未病対策を行うことが可能となる。【００４３】
（５）本発明の薬歴情報管理装置においては、前記患者支援サーバは、前記追記情報を前記薬局向け薬歴情報データベースに書き込む機能をさらに有することが好ましい。【００４４】
このように構成することにより、薬局が追記情報を利用することも可能となり、薬局向け薬歴情報データベースに記録される薬歴情報の利用価値をさらに高めることが可能となる。【００４５】
（６）本発明の薬歴情報管理装置においては、前記患者支援サーバは、患者からのアクセスがあったときには、少なくとも前記患者の識別番号及び前記患者のパスワードを入力するための画面を前記患者に向けて送信するように構成され、前記複数の患者ファイルのそれぞれは、少なくとも前記患者の識別番号及び前記患者のパスワードの入力が確認されない限り閲覧が許可されないように構成されていることが好ましい。【００４６】
このように構成することにより、当該患者以外の者が患者の薬歴情報にアクセスすることが困難になるため、患者に患者自身の薬歴情報を利用させる場合に十分なセキュリティを確保することが可能となる。【００４７】
なお、前記患者支援サーバは、前記患者からのアクセスがあったときには前記患者に向けて生体認証の入力を促がすメッセージをさらに送信するように構成され、前記複数の患者ファイルのそれぞれは、前記患者の生体認証の入力が確認されない限り閲覧が許可されないように構成されていることがさらに好ましい。【００４８】
このように構成することにより、当該患者以外の者が患者の薬歴情報にアクセスすることがさらに困難になるため、患者に患者自身の薬歴情報を利用させる場合にさらに十分なセキュリティを確保することが可能となる。【００４９】
（７）本発明の薬歴情報管理装置においては、前記複数の患者ファイルのそれぞれは、患者の代理人に対してもパスワードの設定が可能に構成され、前記患者支援サーバは、患者の代理人からの求めがあったときには、その求めに応じて前記患者向け薬歴情報データベースにおける該当する患者ファイルに記録された前記患者の薬歴情報の全部又は一部を前記患者の代理人に対して送信する機能をさらに有することが好ましい。【００５０】
ところで、患者の薬歴情報を患者の主治医が知りたいという要求も生じてきている。薬歴情報を知ることにより患者の過去の罹病歴や体質が確認できると、これらの情報を参考にしてより適切な治療を行うことができるからである。【００５１】
また、患者の薬歴情報を薬剤師が知りたいという要求も生じてきている。薬歴情報を知ることにより患者の過去の罹病歴や体質が確認できると、これらの情報を参考にしてより適切な服薬指導を行うことができるからである。【００５２】
さらにまた、患者が未成年である場合や患者が成年被後見人である場合には患者の法定代理人（親権者又は後見人）が、患者の薬歴情報を入手したいという要求も生じてきている。薬歴情報を知ることにより患者の過去の罹病歴や体質が確認できると、これらの情報を患者の主治医や薬剤師に伝えることによって、より適切な治療や助言を受けることが期待できるからである。【００５３】
このような場合に、上記のように構成することにより、患者の主治医、患者の薬剤を調合する薬剤師又は患者が未成年者や成年被後見人である場合の患者の法定代理人（以下、患者の代理人という。）にも、患者の薬歴情報を利用させることができるようになる。また、この場合においても、患者の代理人により正しいパスワードが入力されない限り患者ファイルを利用することができなくなるため、患者の代理人に患者の薬歴情報を利用させる場合に十分なセキュリティを確保することが可能となる。【００５４】
患者の代理人には、患者の主治医、患者の薬剤を調合する薬剤師、患者が未成年者や成年被後見人である場合の患者の法定代理人の他に、患者の同意を得た医療関係者などが含まれていてもよい。患者の代理人に対しても患者の薬歴情報を送信することとしたのは、患者の代理人が患者のために患者に代わって患者の薬歴情報を取得する必要がある場合があるからである。【００５５】
（８）本発明の薬歴情報管理装置においては、前記薬局支援サーバは、前記患者の代理人としての薬剤師からの求めがあったときには、その求めに応じて前記患者向け薬歴情報データベースにおける該当する患者ファイルに記録された前記患者の薬歴情報の全部又は一部を前記薬剤師に対して送信する機能をさらに有することが好ましい。【００５６】
通常、薬局は患者ファイルを閲覧することはできないのであるが、上記のように構成することにより、薬剤師が自己の薬局の端末を用いて患者ファイルに記録された患者の薬歴情報を得ることが可能となるため、利便性が高まる。【００５７】
（９）本発明の薬歴情報管理装置においては、前記複数の患者ファイルのそれぞれは、少なくとも前記患者の代理人の識別番号、前記患者の識別番号及び前記患者毎に設定される前記患者の代理人のパスワードの入力が確認されれば閲覧が許可されるように構成されていることが好ましい。【００５８】
このように構成することにより、患者の代理人にも患者の薬歴情報を利用させることができるようになる【００５９】
この場合、患者支援サーバは、患者の代理人からのアクセスがあったときには、少なくとも患者の代理人の識別番号、患者の識別番号及び患者毎に設定される患者の代理人のパスワードを入力するための画面を患者の代理人に向けて送信するように構成されていることが好ましい。【００６０】
また、薬局支援サーバは、薬局の端末を利用している、患者の代理人としての薬剤師から患者の薬歴情報の提供を受けたい旨の求めがあったときには、少なくとも患者の識別番号及び患者毎に設定される患者の代理人のパスワードを入力するための画面を患者の代理人としての薬剤師に向けて送信するように構成されていることが好ましい。【００６１】
これらの場合、患者の代理人（又は薬剤師）に、患者の識別番号及び患者毎に設定される患者の代理人のパスワードを入力させることにしたのは、患者の代理人に当該患者以外の患者の薬歴情報にアクセスさせる必要はないからであり、患者の代理人に患者の薬歴情報を利用させる場合に十分なセキュリティを確保するためである。【００６２】
なお、前記患者支援サーバは、前記患者の代理人からのアクセスがあったときには前記患者の代理人に向けて生体認証の入力を促がすメッセージをさらに送信するように構成され、前記複数の患者ファイルのそれぞれは、前記患者の代理人の生体認証の入力が確認されない限り閲覧が許可されないように構成されていることがさらに好ましい。【００６３】
このように構成することにより、患者の代理人以外の者が患者の薬歴情報にアクセスすることがさらに困難になるため、患者の代理人に患者の薬歴情報を利用させる場合にさらに十分なセキュリティを確保することが可能となる。【００６４】
また、本発明の薬歴情報管理装置においては、前記患者支援サーバは、前記患者の代理人からの追記情報を受け付ける機能を有することがさらに好ましい。【００６５】
このように構成することにより、患者の主治医にとってはより適切な治療を行うことが可能となり、患者のために調剤を行う薬剤師にとってはより適切な服薬指導を行うことが可能となり、患者の法定代理人にとっては、患者の主治医や患者のために調剤を行う薬剤師に対してより適切な情報を伝えることが可能となる。【００６６】
例えば、患者の主治医が患者の過去の服薬情報と患者の検査結果との間に相関関係があることを見出した場合（例えば、病院で処方された薬剤Ａ及び薬局で購入した大衆薬Ｂを同時期に服薬していたときに血圧が高くなることを見出した場合）には、当該患者の主治医は、当該患者に対して薬剤Ａと大衆薬Ｂとを同時期に服薬しないように注意することが可能となる。【００６７】
なお、本発明の薬歴情報管理装置においては、患者や患者の代理人からの薬歴情報の提供を受けたい旨の求めがあるまでの期間は、患者や患者の代理人に対してパスワードの発行をしない運用とするのが好ましい。その期間は、患者ファイルは原則として誰にも閲覧ができないこととなり、十分なセキュリティを確保することが可能となる。【００６８】
（１０）本発明の薬歴情報管理装置においては、前記患者特定情報は、少なくとも患者の氏名、患者の生年月日及び患者の健康保険被保険者証番号を含むことが好ましい。【００６９】
このように構成することにより、患者の特定を確実に行うことが可能となり、信頼性の高い薬歴情報管理を行うことが可能となる。【００７０】
この場合、患者の健康保険被保険者証番号には、健康保険の種別、保険者の番号並びに健康保険被保険者証の記号及び番号が含まれる。【００７１】
（１１）本発明の薬歴情報管理装置においては、前記薬局特定情報を含む前記薬局の情報が記録された薬局データベースと、前記患者特定情報を含む前記患者の情報が記録された患者データベースとをさらに備えることが好ましい。【００７２】
このように構成することにより、薬局支援サーバが薬歴情報を薬局向け薬歴情報データベースにおける複数の薬局ファイルのそれぞれに書き込むときや、患者向け薬歴情報データベースにおける複数の患者ファイルのそれぞれに書き込むときに、また、薬歴情報変換部が薬歴情報を患者向け薬歴情報データベースにおける複数の患者ファイルのそれぞれに書き込むときに、これらの薬局データベース及び患者データベースを参照して薬局や患者の特定をすることにより、迅速かつ確実にこれらの書き込み作業を行うことが可能となる。【００７３】
前記薬局の情報には、前記薬局のパスワード情報が含まれていることが好ましく、前記患者の情報には前記患者のパスワード情報が含まれていることが好ましい。【００７４】
このように構成することにより、薬局支援サーバに対して薬局からアクセスがあったときに、薬局からのアクセスが本当の薬局からの正規のアクセスかどうかを容易に確認することができ、薬局に薬局自身が提供した薬歴情報を利用させる場合に十分なセキュリティを確保することが可能となる。また、患者支援サーバに対して患者からアクセスがあったときに、患者からのアクセスが本当の患者からの正規のアクセスかどうかを容易に確認することができ、患者等に患者自身の薬歴情報を利用させる場合に十分なセキュリティを確保することが可能となる。【００７５】
患者データベースには、患者の代理人の情報（患者の代理人の識別番号、患者毎に設定される患者の代理人のパスワードを含む。）が含まれていることが好ましい。
このように構成することにより、患者支援サーバに対して患者の代理人からアクセスがあったときに、患者の代理人からのアクセスが本当の患者の代理人からの正規のアクセスかどうかを容易に確認することができ、患者の代理人に患者の薬歴情報を利用させる場合に十分なセキュリティを確保することが可能となる。【００７６】
本発明の薬歴情報管理装置においては、患者データベースとは別に患者の代理人データベースを設け、患者の代理人の情報を患者の代理人データベースに記録するようにしてもよい。【００７７】
（１２）本発明の薬歴情報管理装置においては、薬剤情報が記録された薬剤情報データベースと、薬剤相互作用情報が記録された薬剤相互作用情報データベースとをさらに備え、前記薬局支援サーバは、薬局からの求めがあったときには、その求めに応じて前記薬剤情報データベースに記録された前記薬剤情報及び／又は前記薬剤相互作用情報データベースに記録された前記薬剤相互作用情報を前記薬局に対して送信する機能をさらに有し、前記患者支援サーバは、患者からの求めがあったときには、その求めに応じて前記薬剤情報データベースに記録された前記薬剤情報及び／又は前記薬剤相互作用情報データベースに記録された前記薬剤相互作用情報を前記患者に対して送信する機能をさらに有することが好ましい。【００７８】
このように構成することにより、薬局や患者は、薬歴情報に加えて薬剤の名称、特徴、使用法、注意点、副作用などに関する薬剤情報及び／又は薬剤同士の相互作用の有無、程度などに関する薬剤相互作用情報を利用することができるため、薬歴情報の利用価値をさらに高めることが可能となる。【００７９】
（１３）本発明の薬歴情報管理装置においては、前記薬歴情報は、薬局特定情報及び患者特定情報に加えて製薬会社特定情報をさらに含み、製薬会社毎に当該製薬会社に関連する薬歴情報が記録された複数の製薬会社ファイルを含み、前記複数の製薬会社ファイルについて前記製薬会社毎にパスワードの設定が可能に構成された製薬会社向け薬歴情報データベースと、前記製薬会社からの求めがあったときには、その求めに応じて前記製薬会社向け薬歴情報データベースに記録された前記薬歴情報のうち前記製薬会社に関連する薬歴情報の全部又は一部を前記製薬会社に対して送信する機能を有する製薬会社支援サーバとをさらに備えることが好ましい。【００８０】
このように構成することにより、製薬会社毎に当該製薬会社に関連する薬歴情報が記録された複数の製薬会社ファイルを含む製薬会社向け薬歴情報データベースを備えるため、製薬会社に製薬会社に関連する薬歴情報を利用させることが可能となる。【００８１】
また、複数の製薬会社ファイルは製薬会社毎にパスワードの設定が可能であるため、製薬会社により正しいパスワードが入力されない限り製薬会社ファイルを利用できないようにすることが可能となる。このため、製薬会社に当該製薬会社に関連する薬歴情報を利用させる場合に、当該製薬会社以外の製薬会社の薬歴情報に対して十分なセキュリティを確保することが可能となる。【００８２】
製薬会社に関連する薬歴情報には、薬剤の売上状況（月度毎、地域別、病院別、患者年齢別など）、薬剤の服用状況（月度毎、地域別、病院別、患者年齢別など）、薬剤に関する追記情報（薬剤の飲み易さ、価格が高いか安いか、他の薬剤との相互作用の有無など）などがある。【００８３】
本発明の薬歴情報管理装置においては、前記製薬会社支援サーバは、前記薬局から前記薬歴情報を受信したときには、前記薬歴情報の全部又は一部を前記製薬会社特定情報に基づいて前記製薬会社向け薬歴情報データベースにおける該当する製薬会社ファイルに書き込む機能をさらに有することが好ましい。【００８４】
このように構成することにより、薬局からの薬歴情報は、薬局特定情報に基づいて薬局毎に薬局向け薬歴情報データベースにおける薬局ファイルのそれぞれに記録されたり、患者特定情報に基づいて患者向け薬歴情報データベースにおける患者ファイルのそれぞれに記録されるようになるのに加えて、製薬会社特定情報に基づいて製薬会社向け薬歴情報データベースにおける製薬会社ファイルのそれぞれに記録されるようになる。このため、薬局の業務を支援するために薬歴情報管理装置を日々運用する過程で自然に、薬局向け薬歴情報データベースや患者向け薬歴情報データベースはもちろんのこと、製薬会社向け薬歴情報データベースをも常に最新の状態に保つことが可能となる。【００８５】
本発明の薬歴情報管理装置においては、前記薬局向け薬歴情報データベースに記録された前記薬歴情報を読み出して、前記薬歴情報の全部又は一部を前記製薬会社特定情報に基づいて前記製薬会社向け薬歴情報データベースにおける該当する製薬会社ファイルに書き込む機能を有する薬歴情報変換部をさらに備えることも好ましい。【００８６】
このように構成することにより、薬局向け薬歴情報データベースに記録された薬歴情報は、薬歴情報変換部によって、製薬会社向け薬歴情報データベースにおける複数の製薬会社ファイルのそれぞれに記録されるようになる。このため、薬局の業務を支援するために薬歴情報管理装置を日々運用する過程で自然に、薬局向け薬歴情報データベースはもちろんのこと、製薬会社向け薬歴情報データベースをも常に最新の状態に保つことが可能となる。【００８７】
（１４）本発明の薬歴情報管理装置においては、前記製薬会社特定情報を含む前記製薬会社の情報が記録された製薬会社データベースをさらに備えることが好ましい。【００８８】
このように構成することにより、薬局支援サーバが薬歴情報を製薬会社向け薬歴情報データベースにおける製薬会社ファイルのそれぞれに書き込むときに、また、薬歴情報変換部が薬歴情報を製薬会社向け薬歴情報データベースにおける製薬会社ファイルのそれぞれに書き込むときに、上記製薬会社データベースを参照して製薬会社の特定をすることにより、迅速かつ確実にこれらの書き込み作業を行うことが可能となる。【００８９】
（１５）本発明の薬歴情報管理装置においては、前記患者支援サーバは、調剤が完了した旨の前記薬局からの通知を前記薬局支援サーバが受けたときには、当該調剤が完了した旨の電子メールを該当する患者に向けて送信する機能をさらに有することが好ましい。【００９０】
このように構成することにより、調剤が完了した旨の電子メールを受けた患者は、待ち時間なしで調剤された薬剤を受け取ることが可能となり、利便性が高まる。【００９１】
一方、薬局は、調剤が完了したときには、普段使っている薬局の端末を用いて調剤が完了した旨の通知を送信することができる。従って、薬局にとって手間が増えることもない。【００９２】
この場合、患者のメールアドレスは、予め薬歴情報管理装置に登録されていることが好ましい。これにより、患者は、ＰＣ端末又は携帯端末を利用して自己宛ての電子メールを読むことができる。【００９３】
なお、患者の登録は、この調剤完了通知サービスを受けるためだけの登録としてもよいが、上記した薬歴情報提供サービスを受けるための登録と兼ねるようにしてもよい。【００９４】
（１６）本発明の薬歴情報管理装置においては、前記患者支援サーバは、服用時間を確認するための電子メールを該当する患者に向けて送信する機能をさらに有することが好ましい。【００９５】
このように構成することにより、服用時間を確認するための電子メールを受けた患者は、服用タイミングを逸することなく薬剤をきちんと服用することが可能となり、治療効果が高まる。【００９６】
この場合、患者支援サーバは、服用時間が近づいたとき、服用時間になったとき、又は服用時間が過ぎて一定時間経過したときなどに、服用時間を確認するための電子メールを患者に向けて送信することができる。【００９７】
（１７）本発明の薬歴情報管理装置においては、前記服用時間を確認するための電子メールには、服用状況を入力するためのホームページへのリンクが埋め込まれていることが好ましい。【００９８】
このように構成することにより、患者は、上記したリンクをクリックすることにより自己の服用状況を患者支援サーバを介して患者向け薬歴情報データベースなどに書き込むことが可能となる。その結果、薬歴情報管理装置に患者の服用履歴が蓄積され、薬歴情報管理装置の利用価値が高まる。【００９９】
（１８）本発明の薬歴情報管理装置においては、前記患者支援サーバは、服用期間の終了時期を知らせる旨の電子メールを該当する患者に向けて送信する機能をさらに有することが好ましい。【０１００】
このように構成することにより、服用期間の終了時期を知らせる旨の電子メールを受けた患者は、必要がある場合には服用期間が終了する前に、病院や薬局に出向くことで、必要な薬剤を途切れることなく服用し続けることができる。【０１０１】
（１９）本発明の薬歴情報管理装置においては、前記患者支援サーバは、特定の薬剤に関して緊急安全性情報を得たときには、現在又は過去に前記薬剤を服用している患者を検索し、当該緊急安全性情報に関する電子メールを該当する患者に向けて送信する機能をさらに有することが好ましい。【０１０２】
このように構成することにより、緊急連絡をすることが必要な患者又は緊急連絡をすることが好ましい患者に対して、必要な情報をタイムリーに伝えることが可能となる。【０１０３】
（２０）本発明の薬歴情報管理装置においては、前記患者支援サーバは、前記薬局から前記患者に送信したいお知らせを前記薬局支援サーバが受けたときには、前記お知らせを含む電子メールを前記薬局に関連付けられている患者の全部又は一部に向けて送信する機能をさらに有することが好ましい。【０１０４】
このように構成することにより、薬局はこの薬歴情報管理装置を利用して、お知らせを患者に対して送信することが可能となる。【０１０５】
患者に送信したいお知らせには、例えば、患者の罹病歴、体質、生活習慣などに対応した新製品情報、薬局の特売品情報、薬局のお休み情報、患者の住所に対応したチェーン店のオープン情報などがある。
【図面の簡単な説明】
【０１０６】
【図１】実施形態１に係る薬歴情報管理装置１００の構成を説明するために示す図である。
【図２】実施形態１に係る薬歴情報管理装置１００の機能を説明するために示す図である。
【図３】実施形態１に係る薬歴情報管理装置１００の機能を説明するために示す図である。
【図４】実施形態１に係る薬歴情報管理装置１００の機能を説明するために示す図である。
【図５】薬局データベース１２０の構造を説明するために示す図である。
【図６】患者データベース１３０の構造を説明するために示す図である。
【図７】薬局向け薬歴情報データベース１４０の構造を説明するために示す図である。
【図８】ＢＢＢ薬局に設定された薬局等ファイルに格納されたテーブルの構造を示す図である。
【図９】薬剤情報データベースその他のデータベース１５０の構造を説明するために示す図である。
【図１０】実施形態１に係る薬歴情報管理装置１００の機能を説明するために示す図である。
【図１１】患者向け薬歴情報データベース１７０の構造を説明するために示す図である。
【図１２】患者ＥＮ太郎に設定された患者ファイルに格納されたテーブルの構造を示す図である。
【図１３】薬局が薬歴情報管理装置１００に薬歴情報を日次データとして送信する場合の画面を説明するために示す図である。
【図１４】薬局が薬歴情報管理装置１００にＡＳＰサービスを利用して薬局業務を行いながら薬歴情報を送信する場合の画面を説明するために示す図である。
【図１５】薬局が薬歴情報管理装置１００にログインする場合のログイン画面を説明するために示す図である。
【図１６】患者が薬歴情報管理装置１００にログインする場合のログイン画面を説明するために示す図である。
【図１７】患者が薬歴情報管理装置１００にログインした後の薬歴一覧画面を説明するために示す図である。
【図１８】実施形態２に係る薬歴情報管理装置１００ａの構成及び機能を説明するために示す図である。
【図１９】患者の代理人が薬歴情報管理装置１００ａにログインする場合のログイン画面を説明するために示す図である。
【図２０】患者の代理人が薬歴情報管理装置１００ａにログインした後の薬歴一覧画面を説明するために示す図である。
【図２１】実施形態３に係る薬歴情報管理装置１００ｂの構成を説明するために示す図である。
【図２２】実施形態４に係る薬歴情報管理装置１００ｃの構成を説明するために示す図である。
【図２３】実施形態５に係る薬歴情報管理装置１００ｄの機能（調剤完了通知機能）を説明するために示す図である。
【図２４】実施形態５に係る薬歴情報管理装置１００ｄから患者に送信される電子メールの一例を示す図である。
【図２５】実施形態５に係る薬歴情報管理装置１００ｄの機能（服用時間通知機能）を説明するために示す図である。
【図２６】実施形態５に係る薬歴情報管理装置１００ｄから患者に送信される電子メールの一例を示す図である。
【図２７】実施形態５に係る薬歴情報管理装置１００ｄにおいて患者に服用状況を入力させる画面の一例を示す図である。
【図２８】実施形態５に係る薬歴情報管理装置１００ｄの機能（服用履歴閲覧機能）を説明するために示す図である。
【図２９】実施形態５に係る薬歴情報管理装置１００ｄにおいて患者又は薬局が服用履歴を確認するための画面の一例を示す図である。
【図３０】実施形態５に係る薬歴情報管理装置１００ｄの機能（服用期間終了通知機能）を説明するために示す図である。
【図３１】実施形態５に係る薬歴情報管理装置１００ｄの機能（薬局からのお知らせ通知機能）を説明するために示す図である。
【図３２】従来の薬歴情報管理装置９００を説明するために示す図である。
【発明を実施するための最良の形態】
【０１０７】
以下、本発明の薬歴情報管理装置について、図に示す実施の形態に基づいて説明する。【０１０８】
［実施形態１］
図１は、実施形態１に係る薬歴情報管理装置１００の構成を説明するために示す図である。図２〜４は、実施形態１に係る薬歴情報管理装置１００の機能を説明するために示す図である。図２は、薬局が薬歴情報管理装置１００に薬歴情報を日次データとして送信する場合の機能を説明するために示す図であり、図３は、薬局が薬歴情報管理装置１００にＡＳＰサービスを利用して薬局業務を行いながら薬歴情報を送信する場合の機能を説明するために示す図であり、図４は、薬局からの求めに応じて薬局自身が提供した薬歴情報を薬局に対して送信する場合の機能を説明するために示す図である。【０１０９】
図５は、薬局データベース１２０の構造を説明するために示す図である。図５（ａ）は薬局データベース１２０におけるテーブルの一例であり、図５（ｂ）は当該テーブルに記載される項目の一例である。図６は、患者データベース１３０の構造を説明するために示す図である。図６（ａ）は患者データベース１３０におけるテーブルの一例であり、図６（ｂ）は当該テーブルに記載される項目の一例である。【０１１０】
図７は、薬局向け薬歴情報データベース１４０の構造を説明するために示す図である。図８は、ＢＢＢ薬局に設定された薬局等ファイルに格納されたテーブルの構造を示す図である。図８（ａ）は当該テーブルの一例であり、図８（ｂ）は当該テーブルに記載される項目の一例である。図９は、薬剤情報データベースその他のデータベース１５０の構造を説明するために示す図である。【０１１１】
図１０は、実施形態１に係る薬歴情報管理装置１００の機能を説明するために示す図であり、患者からの求めに応じて患者自身の薬歴情報を患者に対して送信する場合の機能を説明するために示す図である。図１１は、患者向け薬歴情報データベース１７０の構造を説明するために示す図である。図１２は、患者ＥＮ太郎に設定された患者ファイルに格納されたテーブルの構造を示す図である。図１２（ａ）は当該テーブルの一例であり、図１２（ｂ）は当該テーブルに記載される項目の一例である。【０１１２】
実施形態１に係る薬歴情報管理装置１００は、図１に示すように、薬局支援サーバ１１０と、薬局データベース１２０と、患者データベース１３０と、薬局向け薬歴情報データベース１４０と、薬剤情報データベースその他のデータベース１５０と、患者支援サーバ１６０と、患者向け薬歴情報データベース１７０とを備える。【０１１３】
薬局支援サーバ１１０は、薬局（薬局１〜４の端末２１０，２２０又は薬局チェーンの本部１の端末２３０）からの薬局特定情報及び患者特定情報を含む薬歴情報Ａ１，Ｂ１（図２及び図３参照。）を受信するとともに、薬局（薬局１〜４の端末２１０，２２０、薬局１の携帯端末２１０ａ又は薬局チェーンの本部１の端末２３０）からの求めＣ１（図４参照。）に応じて薬局（薬局１〜４の端末２１０，２２０、薬局１の携帯端末２１０ａ又は薬局チェーンの本部１の端末２３０）に対して薬局（薬局１〜４の端末の２１０，２２０又は薬局チェーンの本部１の端末２３０）自身が提供した薬歴情報Ｃ２（図４参照。）を送信する機能を有する。【０１１４】
薬局データベース１２０には、図５に示すように、薬局特定情報を含む薬局の情報、例えば、薬歴情報管理装置１００の管理者における薬局の識別番号、薬局の名称、薬局の住所、薬局の電話番号、薬局のファクシミリ番号、薬局のメールアドレス、薬局の代表者氏名、薬局に所属する薬剤師の人数及び氏名、薬局の種別（単一店舗からなる薬局、薬局チェーンに属する薬局又は薬局チェーンの本部）などが記録されている。【０１１５】
患者データベース１３０には、図６に示すように、患者特定情報を含む患者の情報、例えば、薬歴情報管理装置１００の管理者における患者の識別番号、薬局における患者の識別番号、患者の氏名（フリガナを含む。）、患者の生年月日、患者の性別、患者の健康保険被保険者証番号、患者の住所、患者の電話番号、患者のファクシミリ番号、患者のメールアドレス、各薬局への来局歴、患者の体質、患者の持病情報、患者の職業、患者の家族構成、患者の遺伝学的情報などが記録されている。また、患者データベース１３０には、患者の代理人の情報や患者等（患者及び／又は患者の代理人）のパスワード情報も含まれている。【０１１６】
なお、実施形態１に係る薬歴情報管理装置１００においては、患者特定情報として、少なくとも患者の氏名、患者の生年月日及び患者の健康保険被保険者証番号を含ませることとしている。このように構成することにより、患者の特定を確実に行うことが可能となり、信頼性の高い患者の薬歴情報管理を行うことが可能となる。この場合、患者の健康保険被保険者証番号には、健康保険の種別、保険者の番号並びに健康保険被保険者証の記号及び番号が含まれる。【０１１７】
薬局向け薬歴情報データベース１４０には、図７及び図８に示すように、薬局毎にパスワードが設定される複数の薬局ファイル１４２，１４２，・・・のそれぞれに、薬歴情報（例えば、薬歴情報管理装置１００の管理者における薬歴情報番号、薬局の識別番号及び患者の識別番号、薬局における薬歴情報番号及び患者の識別番号、薬局の名称、患者の氏名（フリガナを含む。）、患者の生年月日、患者の健康保険被保険者証番号（健康保険の種別、保険者番号、被保険者証の記号、被保険者証の番号）、処方箋の発行日、処方箋を発行した病院の名称（及び識別番号）、処方箋を作成した医師の氏名（及び識別番号）、患者の来局日、薬剤の引渡し日、引き渡した薬剤の名称及び分量、保険点数、服薬指導の内容、その他の情報（患者の体質（例えば、アトピー体質、アレルギー体質など。）、患者の持病情報、患者の併用薬情報、患者の副作用情報、患者の職業、患者の家族構成、患者の遺伝学的情報など。）が記録されている。複数の薬局ファイル１４２，１４２，・・・は薬局毎にパスワードの設定が可能に構成されている。【０１１８】
薬剤情報データベースその他のデータベース１５０には、薬剤の名称、特徴、使用法、注意点、副作用などに関する薬剤情報が記録された薬剤情報データベース、薬剤同士の相互作用の有無、程度などに関する薬剤相互作用情報が記録された薬剤相互作用情報データベース及び病院や医師の情報が記録された医療機関情報データベースが含まれているほか、薬局チェーンにおける患者共有情報データベース、医療機関共有情報データベース、在庫共有情報データベース及び本部統括情報データベースなどが含まれている。薬剤情報データベースには、薬価原本データも記録されている。
なお、薬剤情報データベースには、図９に示すように、薬剤毎に設定された複数の薬剤ファイル１５２，１５２，・・・のそれぞれに、薬剤の名称、特徴、使用法、注意点、副作用などに関する薬剤情報が記録されている。【０１１９】
患者支援サーバ１６０は、図１０に示すように、患者１〜５の端末３１０又は患者１の携帯端末３１０ａからの求めＤ１に応じて患者（患者１〜５の端末３１０又は患者１の携帯端末３１０ａ）に対して患者自身の薬歴情報Ｄ２を送信する機能を有する。【０１２０】
患者向け薬歴情報データベース１７０は、図１１及び図１２に示すように、複数の患者ファイル１７２，１７２，・・・のそれぞれに薬歴情報（例えば、薬歴情報管理装置１００の管理者における薬歴情報番号、薬局の識別番号及び患者の識別番号、薬局における薬歴情報番号及び患者の識別番号、薬局の名称、患者の氏名（フリガナを含む。）、患者の生年月日、患者の健康保険被保険者証番号（健康保険の種別、保険者番号、被保険者証の記号、被保険者証の番号）、処方箋の発行日、処方箋を発行した病院の名称（及び識別番号）、処方箋を作成した医師の氏名（及び識別番号）、患者の来局日、薬剤の引渡し日、引き渡した薬剤の名称及び分量、保険点数、服薬指導の内容、その他の情報（患者の体質（例えば、アトピー体質、アレルギー体質など。）、患者の持病情報、患者の併用薬情報、患者の副作用情報、患者の職業、患者の家族構成、患者の遺伝学的情報など。）がそれぞれ記録されている。複数の患者ファイル１７２，１７２，・・・は患者毎にパスワードの設定が可能に構成されている。【０１２１】
このため、実施形態１に係る薬歴情報管理装置１００によれば、薬局向け薬歴情報データベース１４０とは別に、患者毎に薬歴情報が記録された複数の患者ファイル１７２，１７２，・・・を含む患者向け薬歴情報データベース１７０を備えるため、患者に患者自身の薬歴情報を利用させることが可能となる。【０１２２】
また、実施形態１に係る薬歴情報管理装置１００によれば、複数の患者ファイル１７２，１７２，・・・は患者毎にパスワードの設定が可能であるため、患者により正しいパスワードが入力されない限り患者ファイルを利用できないようにすることが可能となる。また、複数の薬局ファイル１４２，１４２，・・・は薬局毎にパスワードの設定が可能であるため、患者が薬局ファイルを利用することはできない。このため、患者に患者自身の薬歴情報を利用させる場合に、当該患者以外の患者の薬歴情報や薬局の薬歴情報に対して十分なセキュリティを確保することが可能となる。【０１２３】
また、実施形態１に係る薬歴情報管理装置１００によれば、薬局向け薬歴情報データベース１４０とは別に患者向け薬歴情報データベース１７０を備え、また、薬局支援サーバ１１０とは別に患者支援サーバ１６０を備えるため、患者からのアクセスと薬局からのアクセスとが競合したときにも、当該患者に対する薬歴情報の提供サービスと薬局に対する薬局業務支援サービスとをともに円滑に行うことが可能となる。このため、患者に患者自身の薬歴情報を利用させる場合に薬局に対する薬局業務支援サービスに支障をきたしたり多くの患者に対して薬歴情報を迅速に提供することが困難となったりすることがない。【０１２４】
また、実施形態１に係る薬歴情報管理装置１００によれば、薬局支援サーバ１１０が受信した薬歴情報の全部又は一部を患者特定情報に基づいて患者向け薬歴情報データベース１７０における該当する患者ファイル１７２に書き込む機能を有するため、薬局からの薬歴情報は、薬局特定情報に基づいて薬局毎に薬局向け薬歴情報データベース１４０に記録されるのに加えて、患者特定情報に基づいて患者向け薬歴情報データベース１７０における複数の患者ファイル１７２，１７２，・・・のそれぞれに記録されるようになる。このため、薬局の業務を支援するために薬歴情報管理装置１００を日々運用する過程で自然に、薬局向け薬歴情報データベース１４０はもちろん、患者向け薬歴情報データベース１７０をも常に最新の状態に保つことが可能となるため、低コストで十分な量及び質の薬歴情報を収集することが容易になり、患者に患者の薬歴情報を利用させる場合に低コストで十分な量及び質の薬歴情報を提供することが可能な薬歴情報管理装置となる。【０１２５】
その結果、実施形態１に係る薬歴情報管理装置１００は、患者に患者自身の薬歴情報を利用させる場合に、ａ）十分なセキュリティを確保することが可能で、ｂ）薬局に対する業務支援サービスに支障をきたしたり多くの患者に対して薬歴情報を迅速に提供することが困難となったりすることがなく、かつ、ｃ）低コストで十分な量及び質の薬歴情報を提供することが可能な薬歴情報管理装置となる。【０１２６】
また、実施形態１に係る薬歴情報管理装置１００によれば、従来の薬歴情報管理装置９００の場合とは異なり、患者の薬歴情報は患者向け薬歴情報データベース１７０内で患者毎にまとめて記録されているため、患者からの薬歴情報の求めがあれば、その求めに応じて当該患者に対して当該患者自身の薬歴情報を即座に送信することが可能となる。【０１２７】
なお、実施形態１に係る薬歴情報管理装置１００においては、従来の薬歴情報管理装置９００の場合と同様に、薬局支援サーバ１２０により受信された薬歴情報は、薬局向け薬歴情報データベース１４０内で薬局毎にまとめて記録されるため、薬局からの薬歴情報の求めがあれば、その求めに応じて当該薬局に対して当該薬局自身が提供した薬歴情報の全部又は一部を様々な態様で即座にかつ確実に送信することが可能である。その結果、実施形態１に係る薬歴情報管理装置１００によれば、従来の薬歴情報管理装置９００の場合と同様に、薬歴情報の管理を薬局に代行して円滑に行うことで薬局の業務を支援することが可能である。【０１２８】
図１３は、薬局が薬歴情報管理装置１００に薬歴情報を日次データとして送信する場合の画面を説明するために示す図である。図１４は、薬局が薬歴情報管理装置１００にＡＳＰサービスを利用して薬局業務を行いながら薬歴情報を送信する場合の画面を説明するために示す図である。【０１２９】
薬局が薬局自らの端末を用いて処方箋の処理業務を行っている場合には、１日の業務が終了したときには１日分の薬歴情報が薬局自らの端末の記録装置に記録されている。そこで、１日の業務が終了したときに、図１３に示すようにして、薬歴情報管理装置１００に対して薬歴情報を日次データとして送信するアップロード処理を行うことができる。
なお、薬局自らの端末にアップロード処理を自動で行うようなプログラムを読み込ませてアップロード処理を自動で行うようにしてもよいことはいうまでもない。【０１３０】
一方、薬局がＡＳＰサービスを利用して処方箋の処理業務を行っている場合には、処方箋の処理業務を行う度に、必要な薬歴情報が薬歴情報管理装置１００に対して送信されることになる。この場合には、セキュリティ上、ＡＳＰサービスの利用を開始する際に、図１４に示すようにして、薬局の端末に正規にログインさせるようにする。【０１３１】
図１５は、薬局が薬歴情報管理装置１００にログインする場合のログイン画面を説明するために示す図である。
薬局が薬局自身が提供した薬歴情報を薬歴情報管理装置１００から送信してもらうには、図１５に示すように、薬局が薬歴情報管理装置１００にログインしてから行う。【０１３２】
図１６は、患者が薬歴情報管理装置１００にログインする場合のログイン画面を説明するために示す図である。
患者が患者自身の薬歴情報を薬歴情報管理装置１００から送信してもらうには、図１６に示すように、患者が薬歴情報管理装置１００にログインしてから行う。【０１３３】
実施形態１に係る薬歴情報管理装置１００においては、患者支援サーバ１６０は、患者からのアクセスがあったときには患者に向けて患者の識別番号及び患者のパスワードを入力するための画面を送信する。患者ファイル１７２は、患者の識別番号及び患者のパスワードの入力が確認されない限り閲覧が許可されないように構成されている。【０１３４】
このため、実施形態１に係る薬歴情報管理装置１００によれば、当該患者以外の者が患者の薬歴情報にアクセスすることが困難になるため、患者に患者自身の薬歴情報を利用させる場合に十分なセキュリティを確保することが可能となる。【０１３５】
図１７は、患者が薬歴情報管理装置１００にログインした後の薬歴一覧画面を説明するために示す図である。
実施形態１に係る薬歴情報管理装置１００は、患者に対して、図１７に示す一覧画面のほか、患者の薬歴情報を様々な態様で提供することができる。【０１３６】
なお、実施形態１に係る薬歴情報管理装置１００においては、薬局支援サーバ１１０は、薬局からの薬歴情報を受信したときには、薬局特定情報に基づいて薬歴情報を薬局毎に薬局向け薬歴情報データベース１４０における複数の薬局ファイル１４２，１４２，・・・のそれぞれにに書き込むとともに、患者特定情報に基づいて薬歴情報を患者向け薬歴情報データベース１７０における複数の患者ファイル１７２，１７２，・・・のそれぞれに書き込む機能を有する。【０１３７】
このため、薬局からの薬歴情報は、薬局特定情報に基づいて薬局毎に薬局向け薬歴情報データベース１４０における複数の薬局ファイル１４２，１４２，・・・のそれぞれに記録されるのに加えて、患者特定情報に基づいて患者向け薬歴情報データベース１７０における複数の患者ファイル１７２，１７２，・・・のそれぞれに記録されるようになる。このため、薬局の業務を支援するために薬歴情報管理装置１００を日々運用する過程で自然に、薬局向け薬歴情報データベース１４０はもちろん、患者向け薬歴情報データベース１７０をも常に最新の状態に保つことが可能となる。【０１３８】
また、上記したように、実施形態１に係る薬歴情報管理装置１００は、薬局特定情報を含む薬局の情報が記録された薬局データベース１２０と、患者特定情報を含む患者の情報が記録された患者データベース１３０とをさらに備える。【０１３９】
このため、薬局支援サーバ１１０が薬歴情報を薬局向け薬歴情報データベース１４０における複数の薬局ファイル１４２，１４２，・・・のそれぞれに書き込むときや患者向け薬歴情報データベース１７０における複数の患者ファイル１７２，１７２・・・のそれぞれに書き込むときに、これら薬局データベース１２０及び患者データベース１３０を参照して薬局や患者の特定をすることにより、迅速かつ確実にこれらの書き込み作業を行うことが可能となる。【０１４０】
実施形態１に係る薬歴情報管理装置１００においては、薬局データベース１２０に記録される薬局の情報には、薬局のパスワード情報が含まれている。また、患者データベース１３０に記録される患者の情報には、患者のパスワード情報が含まれている。【０１４１】
このため、実施形態１に係る薬歴情報管理装置１００によれば、薬局支援サーバ１１０に対して薬局からアクセスがあったときに、薬局からのアクセスが本当の薬局からの正規のアクセスかどうかを容易に確認することができ、薬局に薬局自身が提供した薬歴情報を利用させる場合に十分なセキュリティを確保することが可能となる。また、患者支援サーバ１６０に対して患者からアクセスがあったときに、患者からのアクセスが本当の患者からの正規のアクセスかどうかを容易に確認することができ、患者に患者の薬歴情報を利用させる場合に十分なセキュリティを確保することが可能となる。【０１４２】
また、実施形態１に係る薬歴情報管理装置１００においては、患者支援サーバ１６０は、患者からの追記情報を受け付けるとともに追記情報を患者向け薬歴情報データベース１７０及び／又は患者データベース１３０に書き込む機能をさらに有する。【０１４３】
このため、実施形態１に係る薬歴情報管理装置１００によれば、患者による適切な追記事項の書き込みにより、患者向け薬歴情報データベース１７０に記録される薬歴情報の利用価値をさらに高めることが可能となる。【０１４４】
また、実施形態１に係る薬歴情報管理装置１００においては、上述したように、薬剤情報が記録された薬剤情報データベースと、薬剤相互作用情報が記録された薬剤相互作用情報データベースとをさらに備える。そして、薬局支援サーバ１１０は、薬局の求めに応じて薬剤情報及び／又は薬剤相互作用情報を薬局に対して送信する機能をさらに有し、患者支援サーバ１６０は、患者の求めに応じて薬剤情報及び／又は薬剤相互作用情報を患者に対して送信する機能をさらに有する。【０１４５】
このため、実施形態１に係る薬歴情報管理装置１００によれば、薬局や患者は、患者の薬歴情報に加えて薬剤の名称、特徴、使用法、注意点、副作用などに関する薬剤情報及び／又は薬剤同士の相互作用の有無、程度などに関する薬剤相互作用情報を利用することができるため、薬歴情報の利用価値をさらに高めることが可能となる。【０１４６】
［実施形態２］
次に、実施形態２に係る薬歴情報管理装置について、図１８〜２０を用いて説明する。
図１８は、実施形態２に係る薬歴情報管理装置１００ａの構成及び機能を説明するために示す図である。図１９は、患者の代理人が薬歴情報管理装置１００ａにログインする場合のログイン画面を説明するために示す図である。図２０は、患者の代理人が薬歴情報管理装置１００ａにログインした後の薬歴一覧画面を説明するために示す図である。【０１４７】
実施形態２に係る薬歴情報管理装置１００ａは、基本的には実施形態１に係る薬歴情報管理装置１００とほぼ同様の構成を有するが、患者向け薬歴情報データベースにおける患者ファイルの構成及び患者支援サーバの機能が実施形態１に係る薬歴情報管理装置１００の場合とは異なる。すなわち、実施形態２に係る薬歴情報管理装置１００ａにおいては、患者向け薬歴情報データベース１７０ａにおける患者ファイル１７２ａ（図示せず。）は、患者の代理人に対してもパスワードの設定が可能に構成され、患者支援サーバ１６０ａは、患者の代理人からの求めがあったときには、その求めに応じて患者の代理人に対して患者の薬歴情報を送信する機能をさらに有する。【０１４８】
このため、実施形態２に係る薬歴情報管理装置１００ａによれば、患者の代理人にも、患者の薬歴情報を利用させることができるようになる。また、この場合においても、患者の代理人により正しいパスワードが入力されない限り患者ファイルを利用することができなくなるため、患者の代理人に患者の薬歴情報を利用させる場合に十分なセキュリティを確保することが可能となる。【０１４９】
なお、実施形態２に係る薬歴情報管理装置１００ａは、患者向け薬歴情報データベースにおける患者ファイルの構成及び患者支援サーバの機能以外の点では実施形態１に係る薬歴情報管理装置１００の場合と同様の構成を備えるため、実施形態１に係る薬歴情報管理装置１００が有する効果のうち該当する効果を有する。【０１５０】
なお、患者の代理人が薬歴情報管理装置１００ａから患者の薬歴情報を送信してもらうためには、薬歴情報管理装置１００ａにログインすることが必要である。
すなわち、図１９に示すように、患者支援サーバ１６０ａは、患者の代理人からのアクセスがあったときには患者の代理人に向けて患者の代理人の識別番号、患者の識別番号及び患者毎に設定される患者の代理人のパスワードを入力するための画面を送信する。患者ファイル１７２ａは、患者の代理人の識別番号、患者の識別番号及び患者毎に設定される患者の代理人のパスワードの入力が確認されれば閲覧が許可されるように構成されている。【０１５１】
実施形態２に係る薬歴情報管理装置１００ａは、患者の代理人に対して、図２０に示す一覧画面のほか、患者の薬歴情報を様々な態様で提供することができる。【０１５２】
［実施形態３］
次に、実施形態３に係る薬歴情報管理装置について、図２１を用いて説明する。
図２１は、実施形態３に係る薬歴情報管理装置１００ｂの構成を説明するために示す図である。【０１５３】
実施形態３に係る薬歴情報管理装置１００ｂは、基本的には実施形態２に係る薬歴情報管理装置１００ａとほぼ同様の構成を有するが、図２１に示すように、薬局向け薬歴情報データベース１４０に記録された薬歴情報を読み出して、この薬歴情報を患者向け薬歴情報データベース１７０における複数の患者ファイル１７２ａ，１７２ａ・・・（図示せず。）のそれぞれに書き込む機能を有する薬歴情報変換部１８０をさらに備える点で、実施形態２に係る薬歴情報管理装置１００ａとは異なる。【０１５４】
このため、実施形態３に係る薬歴情報管理装置１００ｂによれば、薬局向け薬歴情報データベース１４０に記録された薬歴情報は、薬歴情報変換部１８０によって、患者向け薬歴情報データベース１７０ａにおける複数の患者ファイル１７２ａ，１７２ａ・・・のそれぞれに記録されるようになる。その結果、実施形態２に係る薬歴情報管理装置１００ａの場合と同様に、薬局の業務を支援するために薬歴情報管理装置１００ｂを日々運用する過程で自然に、薬局向け薬歴情報データベース１４０はもちろん、患者向け薬歴情報データベース１７０ａをも常に最新の状態に保つことが可能となる。【０１５５】
なお、実施形態３に係る薬歴情報管理装置１００ｂは、薬歴情報変換部１８０をさらに備える点以外の点では実施形態２に係る薬歴情報管理装置１００ａの場合と同様の構成を備えるため、実施形態２に係る薬歴情報管理装置１００ａが有する効果のうち該当する効果を有する。【０１５６】
［実施形態４］
次に、実施形態４に係る薬歴情報管理装置について、図２２を用いて説明する。
図２２は、実施形態４に係る薬歴情報管理装置１００ｃの構成を説明するために示す図である。【０１５７】
実施形態４に係る薬歴情報管理装置１００ｃは、基本的には実施形態１に係る薬歴情報管理装置１００とほぼ同様の構成を有するが、図２２に示すように、製薬会社支援サーバ１８０、製薬会社向け薬歴情報データベース１９０及び製薬会社データベース２００をさらに備える点で、実施形態１に係る薬歴情報管理装置１００とは異なる。【０１５８】
製薬会社向け薬歴情報データベース１９０は、製薬会社毎に当該製薬会社に関連する薬歴情報が記録された複数の製薬会社ファイル（図示せず。）を含み、複数の製薬会社ファイルについて製薬会社毎にパスワードの設定が可能に構成されている。【０１５９】
製薬会社支援サーバ１８０は、製薬会社からの求めがあったときには、その求めに応じて製薬会社向け薬歴情報データベース１９０に記録された薬歴情報のうち製薬会社に関連する薬歴情報の全部又は一部を製薬会社に対して送信する機能を有する。製薬会社に関連する薬歴情報としては、薬剤の売上状況（月度毎、地域別、患者年齢別など）、薬剤の服用状況（月度毎、地域別、患者年齢別など）、薬剤に関する追記情報（薬剤の飲み易さ、価格が高いか安いか、他の薬剤との相互作用の有無など）などがある。【０１６０】
製薬会社データベース２００は、製薬会社特定情報を含む製薬会社の情報が記録されたデータベースである。【０１６１】
薬局支援サーバ１１０は、薬局の端末２１０，２２０，２３０から受信した薬歴情報の全部又は一部を製薬会社特定情報に基づいて製薬会社向け薬歴情報データベース１９０における該当する製薬会社ファイルに書き込む機能を有する。【０１６２】
このため、実施形態４に係る薬歴情報管理装置１００ｃによれば、薬局向け薬歴情報データベース１４０とは別に、製薬会社毎に当該製薬会社に関連する薬歴情報が記録された複数の製薬会社ファイルを含む製薬会社向け薬歴情報データベース１９０を備えるため、製薬会社に関連する薬歴情報を製薬会社に利用させることが可能となる。【０１６３】
また、実施形態４に係る薬歴情報管理装置１００ｃによれば、複数の製薬会社ファイルは製薬会社毎にパスワードの設定が可能であるため、製薬会社により正しいパスワードが入力されない限り製薬会社ファイルを利用できないようにすることが可能となる。このため、製薬会社に当該製薬会社に関連する薬歴情報を利用させる場合に、当該製薬会社以外の製薬会社の薬歴情報に対して十分なセキュリティを確保することが可能となる。【０１６４】
また、実施形態４に係る薬歴情報管理装置１００ｃによれば、薬局向け薬歴情報データベース１４０とは別に製薬会社向け薬歴情報データベース１９０を備え、また、薬局支援サーバ１１０とは別に製薬会社支援サーバ１８０を備えるため、製薬会社からのアクセスと薬局からのアクセスとが競合したときにも、当該製薬会社に対する薬歴情報の提供サービスと薬局に対する薬局業務支援サービスとをともに円滑に行うことが可能となるため、製薬会社に当該製薬会社に関連する薬歴情報を利用させる場合に薬局に対する薬局業務支援サービスに支障をきたしたり製薬会社に対して薬歴情報を迅速に提供することが困難となったりすることがない。【０１６５】
また、実施形態４に係る薬歴情報管理装置１００ｃによれば、薬局支援サーバ１１０が受信した薬歴情報の全部又は一部を製薬会社特定情報に基づいて製薬会社向け薬歴情報データベース１９０における該当する製薬会社ファイルに書き込む機能を有するため、薬局からの薬歴情報は、薬局特定情報に基づいて薬局毎に薬局向け薬歴情報データベース１４０に記録されたり、患者特定情報に基づいて患者毎に患者向け薬歴情報データベース１７０に記録されたりするのに加えて、製薬会社特定情報に基づいて製薬会社向け薬歴情報データベース１９０における複数の製薬会社ファイルのそれぞれに記録されるようになる。このため、薬局の業務を支援するために薬歴情報管理装置１００ｃを日々運用する過程で自然に、薬局向け薬歴情報データベース１４０及び患者向け薬歴情報データベース１７０はもちろんのこと、製薬会社向け薬歴情報データベース１９０をも常に最新の状態に保つことが可能となるため、低コストで十分な量及び質の薬歴情報を収集することが容易になり、製薬会社に当該製薬会社に関連する薬歴情報を利用させる場合に低コストで十分な量及び質の薬歴情報を提供することが可能な薬歴情報管理装置となる。【０１６６】
その結果、実施形態４に係る薬歴情報管理装置１００ｃは、製薬会社に当該製薬会社に関連する薬歴情報を利用させる場合に、ａ）十分なセキュリティを確保することが可能で、ｂ）薬局に対する業務支援サービスに支障をきたしたり製薬会社に対して薬歴情報を迅速に提供することが困難となったりすることがなく、かつ、ｃ）低コストで十分な量及び質の薬歴情報を製薬会社に提供することが可能な薬歴情報管理装置となる。【０１６７】
また、実施形態４に係る薬歴情報管理装置１００ｃによれば、製薬会社特定情報を含む製薬会社の情報が記録された製薬会社データベース２００をさらに備えるため、薬局支援サーバ１１０が薬歴情報を製薬会社向け薬歴情報データベース１９０における複数の製薬会社ファイルのそれぞれに書き込むときに、製薬会社データベース２００を参照して製薬会社の特定をすることにより、迅速かつ確実にこれらの書き込み作業を行うことが可能となる。【０１６８】
なお、実施形態４に係る薬歴情報管理装置１００ｃは、製薬会社支援サーバ１８０、製薬会社向け薬歴情報データベース１９０及び製薬会社データベース２００をさらに備える点以外の点では実施形態１に係る薬歴情報管理装置１００の場合と同様の構成を備えるため、実施形態１に係る薬歴情報管理装置１００が有する効果のうち該当する効果を有する。【０１６９】
［実施形態５］
次に、実施形態５に係る薬歴情報管理装置について、図２３〜図３１を用いて説明する。
図２３は、実施形態５に係る薬歴情報管理装置１００ｄの機能（調剤完了通知機能）を説明するために示す図である。図２４は、実施形態５に係る薬歴情報管理装置１００ｄから患者に送信される電子メールの一例を示す図である。【０１７０】
図２５は、実施形態５に係る薬歴情報管理装置１００ｄの機能（服用時間通知機能）を説明するために示す図である。図２６は、実施形態５に係る薬歴情報管理装置１００ｄから患者に送信される電子メールの一例を示す図である。図２７は、実施形態５に係る薬歴情報管理装置１００ｄにおいて患者に服用状況を入力させる画面の一例を示す図である。図２７（ａ）は薬剤毎に服用状況を入力させる画面の一例を示す図であり、図２７（ｂ）は服用しなかった場合の理由を入力させる画面の一例を示す図である。【０１７１】
図２８は、実施形態５に係る薬歴情報管理装置１００ｄの機能（服用履歴閲覧機能）を説明するために示す図である。図２９は、実施形態５に係る薬歴情報管理装置１００ｄにおいて患者又は薬局が服用履歴を確認するための画面の一例を示す図である。【０１７２】
図３０は、実施形態５に係る薬歴情報管理装置１００ｄの機能（服用期間終了通知機能）を説明するために示す図である。図３１は、実施形態５に係る薬歴情報管理装置１００ｄの機能（薬局からのお知らせ通知機能）を説明するために示す図である。【０１７３】
実施形態５に係る薬歴情報管理装置１００ｄは、基本的には実施形態１に係る薬歴情報管理装置１００とほぼ同様の構成を有するが、図２３〜図３１に示すように、患者支援サーバの機能などの点で実施形態１に係る薬歴情報管理装置１００とは異なる。【０１７４】
患者支援サーバ１６０は、図２３に示すように、調剤が完了した旨の薬局（例えば薬局１の端末２１０）からの通知Ｆ１を薬局支援サーバ１１０が受けたときには、当該調剤が完了した旨の電子メールＦ３（図２４参照。）を、該当する患者（例えば患者１の携帯端末３１０ａ）に向けて送信する機能（調剤完了通知機能）をさらに有する。【０１７５】
また、患者支援サーバ１６０は、服用時間が近づいたとき、服用時間になったとき、又は服用時間が過ぎて一定時間経過したときなどには、図２５に示すように、服用時間を確認するための電子メールＧ１（図２６参照。）を該当する患者（例えば患者１の携帯端末３１０ａ）に向けて送信する機能（服用時間通知機能）をさらに有する。【０１７６】
服用時間を確認するための電子メールＧ１には、服用状況を入力するためのホームページへのリンク（図２６参照。）が埋め込まれている。患者がこのリンクをクリックすると、患者の端末には患者に服用状況を入力させる画面が表示され（図２７参照。）、これによって、患者は、自己の服用状況を患者支援サーバ１６０を介して患者向け薬歴情報データベース１７０などに書き込む（図２５の符号Ｇ２参照。）ことが可能となる。【０１７７】
薬歴情報管理装置１００ｄは、このようにして患者向け薬歴情報データベース１７０などに書き込まれた患者の服用履歴を、薬局又は患者に閲覧させる服用履歴閲覧機能を有する。これにより、図２８に示すように、薬局は薬局支援サーバ１１０にログイン（符号Ｈ１参照。）することにより、また、患者は患者支援サーバ１６０にログイン（符号Ｉ１参照。）することにより、患者の服用履歴を確認（符号Ｈ２及びＩ２参照。）することが可能となる（図２９参照。）。【０１７８】
また、患者支援サーバ１６０は、図３０に示すように、患者向け薬歴情報データベース１７０に記録された薬歴情報に基づいて、服用期間の終了時期が近づいたら、服用期間の終了時期を知らせる旨の電子メールＪ１を該当する患者（例えば患者１の携帯端末３１０ａ）に向けて送信する機能（服用期間終了通知機能）をさらに有する。【０１７９】
また、患者支援サーバ１６０は、特定の薬剤に関して緊急安全性情報を得たときには、現在又は過去に薬剤を服用している患者を検索し、当該緊急安全性情報に関する電子メール（図２６参照。）を該当する患者に向けて送信する機能をさらに有する。図２６においては、服用時間を確認するための電子メールＧ１を用いて当該緊急安全性情報を送信することとしている。【０１８０】
また、患者支援サーバ１６０は、図３１に示すように、薬局から患者に送信したいお知らせＫ１を薬局支援サーバ１１０が受けたときには、お知らせを含む電子メールＫ３を薬局に関連付けられている患者の全部又は一部（例えば、患者１の端末３１０及び携帯端末３１０ａ並びに患者３の端末３１０）に向けて送信する機能（薬局からのお知らせ通知機能）をさらに有する。【０１８１】
実施形態５に係る薬歴情報管理装置１００ｄにおいては、患者支援サーバ１６０が上記した機能を有することにより、以下のような効果を有する。【０１８２】
調剤が完了した旨の電子メールＦ３を受けた患者は、待ち時間なしで調剤された薬剤を受け取ることが可能となり、利便性が高まる。
一方、薬局は、調剤が完了したときには、普段使っている薬局の端末を用いて調剤が完了した旨の通知Ｆ１を送信することができる。従って、薬局にとって手間が増えることもない。
患者のメールアドレスは、予め薬歴情報管理装置に登録しておく。患者はＰＣ端末又は携帯端末を利用して自己宛ての電子メールを読むことができる。【０１８３】
服用時間を確認するための電子メールＧ１を受けた患者は、服用タイミングを逸することなく薬剤をきちんと服用することが可能となり、治療効果が高まる。
患者は、服用時間を確認するための電子メールＧ１に埋め込まれたリンクをクリックすることにより自己の服用状況を患者支援サーバ１６０を介して患者向け薬歴情報データベース１７０などに書き込むことが可能となる。その結果、薬歴情報管理装置１００ｄに患者の服用履歴が蓄積され、薬局や患者は患者の服用履歴を確認することも可能となり、薬歴情報管理装置１００ｄの利用価値が高まる。【０１８４】
服用期間の終了時期を知らせる旨の電子メールＪ１を受けた患者は、必要がある場合には服用期間が終了する前に、病院や薬局に出向くことで、必要な薬剤を途切れることなく服用し続けることができる。【０１８５】
緊急連絡をすることが必要な患者又は緊急連絡をすることが好ましい患者に対して、必要な情報をタイムリーに伝えることが可能となる。【０１８６】
薬局はこの薬歴情報管理装置１００ｄを利用して、薬局からのお知らせを含む電子メールＫ３を患者に対して送信することが可能となり、薬局にとって利便性が高まる。【０１８７】
なお、実施形態５に係る薬歴情報管理装置１００ｄは、上記したように、患者支援サーバの機能などの点以外の点では実施形態１に係る薬歴情報管理装置１００の場合と同様の構成を備えるため、実施形態１に係る薬歴情報管理装置１００が有する効果のうち該当する効果を有する。【０１８８】
以上、本発明の薬歴情報管理装置を上記の実施形態に基づいて説明したが、本発明は上記の実施形態に限られるものではなく、その要旨を逸脱しない範囲において種々の態様において実施することが可能であり、例えば次のような変形も可能である。【０１８９】
（１）上記各実施形態に係る薬歴情報管理装置においては、患者支援サーバは、患者からのアクセスがあったときには、患者の識別番号及び患者のパスワードを入力するための画面を患者に向けて送信するように構成されているが、本発明はこれに限定されるものではない。患者支援サーバは、患者からのアクセスがあったときには、さらに生体認証の入力を促がすメッセージを患者に向けて送信するように構成されていてもよい。この場合、患者向け薬歴情報データベースにおける各患者ファイルは、患者の生体認証の入力が確認されない限り閲覧が許可されないように構成されることになる。【０１９０】
（２）上記各実施形態に係る薬歴情報管理装置においては、患者支援サーバは、患者の代理人からのアクセスがあったときには、患者の代理人の識別番号、患者の識別番号及び患者毎に設定される患者の代理人のパスワードを入力するための画面を患者の代理人に向けて送信するように構成されているが、本発明はこれに限定されるものではない。患者支援サーバは、患者の代理人からのアクセスがあったときには、さらに生体認証の入力を促がすメッセージを患者の代理人に向けて送信するように構成されていてもよい。この場合、患者向け薬歴情報データベースにおける各患者ファイルは、患者の代理人の生体認証の入力が確認されない限り閲覧が許可されないように構成されることになる。【０１９１】
（３）上記各実施形態に係る薬歴情報管理装置は、患者の薬歴情報や患者等による追記情報が記録された患者向け薬歴情報データベースを備えるものであるが、本発明はこれに限定されるものではない。患者の薬歴情報や患者等による追記情報に加えて医師による診断結果や治療内容に関する情報が記録された患者向け薬歴情報データベースを備えるものであってもよい。
このように構成することにより、患者がこれらの情報を参考にしてより適切な未病対策を行ったり、患者の主治医がこれらの情報を参考にしてより適切な治療を行ったり、薬剤師がこれらの情報を参考にして適切な服薬指導を行ったり、患者の法定代理人がこれらの情報を患者の主治医や薬剤師に伝えることによってより適切な治療や助言を受けたりすることが可能となる。【０１９２】
（４）上記各実施形態に係る薬歴情報管理装置は、医師による診断結果や治療内容に関する情報が記録されたいわゆる電子カルテ情報データベースをさらに備えるものであってもよい。また、医師による診断結果や治療内容に関する情報が記録されたいわゆる電子カルテ情報データベースとの情報のやり取りが可能なインタフェースをさらに備えるものであってもよい。
このように構成することによっても、患者がこれらの情報を参考にしてより適切な未病対策を行ったり、患者の主治医がこれらの情報を参考にしてより適切な治療を行ったり、薬剤師がこれらの情報を参考にして適切な服薬指導を行ったり、患者の法定代理人がこれらの情報を患者の主治医や薬剤師に伝えることによってより適切な治療や助言を受けたりすることが可能となる。【０１９３】
（５）上記実施形態２又は３においては、患者の代理人としての薬剤師が患者支援サーバ１６０ａにアクセスすることによって患者の薬歴情報を得ているが、本発明はこれに限定されるものではない。患者の代理人としての薬剤師は、薬局支援サーバ１１０にアクセスすることによって患者の薬歴情報を得ることもできる。
【図１】
0004685985.tif 000002
【図５】
0004685985.tif 000003
【図６】
0004685985.tif 000004
【図７】
0004685985.tif 000005
【図８】
0004685985.tif 000006
【図９】
0004685985.tif 000007
【図１１】
0004685985.tif 000008
【図１２】
0004685985.tif 000009
【図２１】
0004685985.tif 000010
【図２２】
0004685985.tif 000011
【図２４】
0004685985.tif 000012
【図２６】
0004685985.tif 000013
【図３２】
0004685985.tif 000014
【図２】
0004685985.tif 000015
【図３】
0004685985.tif 000016
【図４】
0004685985.tif 000017
【図１０】
0004685985.tif 000018
【図１３】
0004685985.tif 000019
【図１４】
0004685985.tif 000020
【図１５】
0004685985.tif 000021
【図１６】
0004685985.tif 000022
【図１７】
0004685985.tif 000023
【図１８】
0004685985.tif 000024
【図１９】
0004685985.tif 000025
【図２０】
0004685985.tif 000026
【図２３】
0004685985.tif 000027
【図２５】
0004685985.tif 000028
【図２７】
0004685985.tif 000029
【図２８】
0004685985.tif 000030
【図２９】
0004685985.tif 000031
【図３０】
0004685985.tif 000032
【図３１】
0004685985.tif 000033